(57)【要約】【課題】ノート型パソコンの不使用時に不要な付属品を収納することができる。【解決手段】ノート型パソコン１２の側面１２Ｂが載置される載置部１４と、ノート型パソコン１２の側面１２Ｂが載置部１４に載置されたときにノート型パソコン１２の底面１２Ａを支持する傾斜部１８と、傾斜部１８を支持する支持部３０と、を有するパソコン支持装置１０であって、傾斜部１８に形成されノート型パソコン１２の底面１２Ａが支持されたときにノート型パソコン１２の底面１２Ａに対して開口する第１開口部２０と、ノート型パソコン１２の使用時に必要な付属品が第１開口部２０を通して収納される収納部Ａと、を有する構成とした。【選択図】      図１
2005173743.tif 000002
【特許請求の範囲】
【請求項１】
ノート型パソコンを支持するパソコン支持装置であって、
前記ノート型パソコンの使用時に必要な付属品を収納する収納部を設けたことを特徴とするパソコン支持装置。
【請求項２】
ノート型パソコンの側面が載置される載置部と、前記ノート型パソコンの側面が前記載置部に載置されたときに前記ノート型パソコンの底面を支持する傾斜部と、前記傾斜部を支持する支持部と、を有するパソコン支持装置であって、
前記傾斜部に形成され前記ノート型パソコンの底面が支持されたときに前記ノート型パソコンの底面に対して開口する第１開口部と、前記ノート型パソコンの使用時に必要な付属品が前記第１開口部を通して収納される収納部と、を有することを特徴とするパソコン支持装置。
【請求項３】
前記第１開口部に対向する部位には、前記収納部の外部と連通する第２開口部が形成されていることを特徴とする請求項２に記載のパソコン支持装置。
【請求項４】
前記収納部は、前記第１開口部の上側開口縁に接続される上壁部と、前記第１開口部の下側開口縁に接続される下壁部と、前記上壁部及び前記下壁部との間を塞ぎ前記第１開口部の右側開口縁に接続される右側壁部と、前記上壁部及び前記下壁部との間を塞ぎ前記第１開口部の左側開口縁に接続される左側壁部と、で囲まれて形成されていることを特徴とする請求項２又は３に記載のパソコン支持装置。
【請求項５】
前記収納部は、前記支持部に設けられ、
前記上壁部、前記下壁部、前記右側壁部及び前記左側壁部は、前記支持部が兼ねていることを特徴とする請求項４に記載のパソコン支持装置。
【請求項６】
前記下壁部には、前記付属品が前記第１開口部又は前記第２開口部から前記収納部の外部に抜けることを防止する抜け防止手段が設けられていることを特徴とする請求項４又は５に記載のパソコン支持装置。
【請求項７】
前記第１開口部の開口面積は、前記第２開口部の開口面積よりも大きいことを特徴とする請求項３乃至６のいずれか１項に記載のパソコン支持装置。
【請求項８】
前記傾斜部には、前記ノート型パソコンの底面を支持する単数又は複数の突部が設けられていることを特徴とする請求項２乃至７のいずれか１項に記載のパソコン支持装置。
【請求項９】
前記突部の表面には、弾性部材又はコルク材が取り付けられていることを特徴とする請求項８に記載のパソコン支持装置。
【請求項１０】
前記傾斜部の傾斜角度は、６０度以上７０度以下であることを特徴とする請求項２乃至９のいずれか１項に記載のパソコン支持装置。
【請求項１１】
前記パソコン支持装置は、金属性材料で一体成形されていることを特徴とする請求項１乃至１０のいずれか１項に記載のパソコン支持装置。
【発明の詳細な説明】
【技術分野】
【０００１】
本発明は、特に不使用時のノート型パソコンを立て掛けておくパソコン支持装置に関する。
【背景技術】
【０００２】
従来からノート型パソコン（以下、単に「パソコン」という。）を立て掛けておくパソコン支持装置として、下記特許文献に開示されているような様々なものがある。これらのパソコン支持装置として、パソコンを使用するときにパソコンが所定の傾斜角度となるようにパソコンを立て掛けその状態で使用することにより使い勝手を良くするものや、不使用時のパソコンをパソコン支持装置に立て掛けて、パソコンの不使用時の机上面積を減らし机上のスペースを有効に活用することができるものがある（下記各特許文献参照）。
【０００３】
【特許文献１】特開２００３−４４１７３号公報
【特許文献２】特開２００２−３１１８４４号公報
【特許文献３】特開平６−２３２５６７号公報
【特許文献４】特開２００３−４４１６５号公報
【特許文献５】特開２０００−２９８５３３号公報
【特許文献６】特許第３３８１６３９号公報
【特許文献７】特許第３３８１６３８号公報
【特許文献８】特許第３３８１６８４号公報
【特許文献９】実開平３−７８３１８号公報
【特許文献１０】登録実用新案第３０４７２０２号公報
【特許文献１１】登録実用新案第３０５９７９９号公報
【発明の開示】
【発明が解決しようとする課題】
【０００４】
ところで、パソコンの使用時にはＡＣアダプタ、マウス、フロッピー（登録商標）ディスクなどの付属品が必要となるが、パソコン不使用時にはこれらの付属品は当然ながら不要となる。このため、パソコンの不使用時には、これらの付属品を収納する必要があるが、上記各特許文献で開示されたパソコン支持装置には付属品を収納する収納部が設けられていなかった。
【０００５】
そこで、本発明は、上記事情を考慮し、ノート型パソコンの不使用時に不要な付属品を収納することができるパソコン支持装置を提供することを目的とする。
【課題を解決するための手段】
【０００６】
請求項１に記載の発明は、ノート型パソコンを支持するパソコン支持装置であって、前記ノート型パソコンの使用時に必要な付属品を収納する収納部を設けたことを特徴とする。
【０００７】
請求項１に記載の発明によれば、パソコン支持装置には収納部が設けられているため、ノート型パソコンの不使用時にノート型パソコンをパソコン支持装置に支持させる際に、不要な付属品を収納部に収納させることができる。これにより、ノート型パソコンの不使用時において、付属品だけを別個独立に別の収納場所に収納させる必要がない。
なお、本明細書において「付属品」とは、ノート型パソコンの使用時に必要となり得るもの、例えばＡＣアダプタ、マウス、フロッピー（登録商標）ディスク等のメディアなどを意味する。
【０００８】
請求項２に記載の発明は、ノート型パソコンの側面が載置される載置部と、前記ノート型パソコンの側面が前記載置部に載置されたときに前記ノート型パソコンの底面を支持する傾斜部と、前記傾斜部を支持する支持部と、を有するパソコン支持装置であって、前記傾斜部に形成され前記ノート型パソコンの底面が支持されたときに前記ノート型パソコンの底面に対して開口する第１開口部と、前記ノート型パソコンの使用時に必要な付属品が前記第１開口部を通して収納される収納部と、を有することを特徴とする。
【０００９】
請求項２に記載の発明によれば、ノート型パソコンの不使用時には、パソコン支持装置の載置部にノート型パソコンの側面が載置され、傾斜部にノート型パソコンの底面が支持される。このようにして、不使用時において、ノート型パソコンがパソコン支持装置に支持される。
ここで、パソコン支持装置には収納部が設けられているため、ノート型パソコンの不使用時にノート型パソコンをパソコン支持装置に支持させる際に、第１開口部を通して不要な付属品を収納部に収納させることができる。特に、傾斜部にはノート型パソコンの底面が支持されたときにノート型パソコンの底面に対して開口する第１開口部が形成されているため、ノート型パソコンをパソコン支持装置で支持するときに付属品を容易に収納部に収納させることができる。これにより、付属品の収納性を格段に向上させることができる。
また、ノート型パソコンをパソコン支持装置で支持すると、第１開口部をノート型パソコンで隠すことができるため、収納部に収納された付属品が使用者の目に触れることがない。これにより、ノート型パソコンがパソコン支持装置で支持された状態の美観性を向上させることができる。
なお、本明細書において「付属品」とは、ノート型パソコンの使用時に必要となり得るもの、例えばＡＣアダプタ、マウス、フロッピー（登録商標）ディスク等のメディアなどを意味する。
【００１０】
請求項３に記載の発明は、請求項２に記載のパソコン支持装置において、前記第１開口部に対向する部位には、前記収納部の外部と連通する第２開口部が形成されていることを特徴とする。
【００１１】
請求項３に記載の発明によれば、第１開口部に対向する部位には第２開口部が形成されているため、ノート型パソコンの不使用においても、例えばケーブルを第２開口部に通すことにより、ケーブルを外部にある他の器具、装置あるいはコンセントに接続させておくことができる。すなわち、ノート型パソコンの不使用時に、ケーブルなどをわざわざ外部の器具、装置及びコンセントから取り外すことが不要となり、外部の器具、装置及びコンセントにケーブルを接続した状態でノート型パソコンをパソコン支持装置により支持させておくことができる。
【００１２】
請求項４に記載の発明は、請求項２又は３に記載のパソコン支持装置において、前記収納部は、前記第１開口部の上側開口縁に接続される上壁部と、前記第１開口部の下側開口縁に接続される下壁部と、前記上壁部及び前記下壁部との間を塞ぎ前記第１開口部の右側開口縁に接続される右側壁部と、前記上壁部及び前記下壁部との間を塞ぎ前記第１開口部の左側開口縁に接続される左側壁部と、で囲まれて形成されていることを特徴とする。
【００１３】
請求項４に記載の発明によれば、収納部は上壁部と、下壁部と、右側壁部と、左側壁部と、で囲まれて形成されており、傾斜部にノート型パソコンの底面が支持されるとノート型パソコンによって第１開口部が塞がれるため、収納部に外部から埃やゴミが入ってしまうことを防止することができる。これにより、収納部に収納された付属品に誇りやゴミなどが付着することを防止でき、付属品の機能が低下してしまうことを防止できる。
【００１４】
請求項５に記載の発明は、請求項４に記載のパソコン支持装置において、前記収納部は前記支持部に設けられ、前記上壁部、前記下壁部、前記右側壁部及び前記左側壁部は前記支持部が兼ねていることを特徴とする。
【００１５】
請求項５に記載の発明によれば、収納部が既存の支持部に設けられ、上壁部、下壁部、右側壁部及び左側壁部は支持部が兼ねているため、支持部に傾斜部を支持する機能と付属品を収納する収納部としての機能とを持たせることができる。これにより、支持部のスペースを収納部として有効に活用することができるため、パソコン支持装置が大型化してしまうことを防止することができる。また、パソコン支持装置の部品点数を削減することができ、組立工数及び製造コストを低減させることができる。
【００１６】
請求項６に記載の発明は、請求項４又は５に記載のパソコン支持装置において、前記下壁部には、前記付属品が前記第１開口部又は前記第２開口部から前記収納部の外部に抜けることを防止する抜け防止手段が設けられていることを特徴とする。
【００１７】
請求項６に記載の発明によれば、下壁部には抜け防止手段が設けられているため、収納部に収納された付属品が第１開口部又は第２開口部から収納部の外部に抜けてしまうことを防止できる。特に、パソコン支持装置を机上で移動させた場合に、付属品の収納部からの抜けを有効に防止できる。
【００１８】
請求項７に記載の発明は、請求項３乃至６のいずれか１項に記載のパソコン支持装置において、前記第１開口部の開口面積は、前記第２開口部の開口面積よりも大きいことを特徴とする。
【００１９】
請求項７に記載の発明によれば、第１開口部の開口面積が第２開口部の開口面積よりも大きいため、比較的大きな開口面積である第１開口部から付属品を収納させることができ、収納性を向上させることができる。また、第１開口部の開口面積を比較的大きくすることにより、収納部から付属品を取り出し易くすることができる。
一方、第２開口部の開口面積は比較的小さいため、付属品が第２開口部から抜け出てしまうことを防止できる。特に、抜け防止手段と併用することにより、付属品の抜けをより確実に防止することができる。
【００２０】
請求項８に記載の発明は、請求項２乃至７のいずれか１項に記載のパソコン支持装置において、前記傾斜部には、前記ノート型パソコンの底面を支持する単数又は複数の突部が設けられていることを特徴とする。
【００２１】
請求項８に記載の発明によれば、傾斜部には単数又は複数の突部が設けられており、この突部によりノート型パソコンの底面が支持される。これらの突部によりノート型パソコンの底面が支持されると、ノート型パソコンの底面と傾斜部の表面との間には隙間が生じ、この隙間にノート型パソコンの使用時に必要なケーブル等を通すことができる。このように、単数又は複数の突部を設けることにより、ノート型パソコンの底面と傾斜部の表面との間に生じる隙間を他の用途のために有効に利用することができる。
【００２２】
請求項９に記載の発明は、請求項８に記載のパソコン支持装置において、前記突部の表面には、弾性部材又はコルク材が取り付けられていることを特徴とする。
【００２３】
請求項９に記載の発明によれば、突部の表面には弾性部材又はコルク材が取り付けられており、パソコン支持装置でノート型パソコンを支持する際にはノート型パソコンの底面が弾性部材またはコルク材と接触するため、ノート型パソコンの底面に傷を付けてしまうことを防止できる。また、ノート型パソコンの底面が弾性部材またはコルク材と接触することにより、ノート型パソコンの底面と弾性部材又はコルク材との間に発生する摩擦力が大きくなるため、ノート型パソコンの位置ズレを防止することができる。
特に、突部の表面にコルク材を取り付けることにより、質感などが向上するため、意匠性を向上させることができる。
【００２４】
請求項１０に記載の発明は、請求項２乃至９のいずれか１項に記載のパソコン支持装置において、前記傾斜部の傾斜角度は、６０度以上７０度以下であることを特徴とする。
【００２５】
請求項１０に記載の発明によれば、傾斜部の傾斜角度が６０度以上７０度以下であるため、ノート型パソコンを安定して支持することができる。また、傾斜部の傾斜角度を６０度以上７０度以下とすることにより、パソコン支持装置に支持された状態のノート型パソコンの意匠性を向上させることができる。さらに、傾斜部の傾斜角度を６０度以上７０度以下とすることにより、パソコン支持装置が机上に置かれた場合に、傾斜部の机上に対する投影面積が少なくなり、机上のスペースを有効に活用することができる。
逆に、傾斜部の傾斜角度が６０度未満であれば、パソコン支持装置が机上に置かれた場合に、傾斜部の机上に対する投影面積が大きくなり、その分だけ大きなスペースが必要となるため、不適切である。
また、傾斜部の傾斜角度が７０度よりも大きくなれば、パソコン支持装置に支持されたノート型パソコンの姿勢の安定性が悪くなるため、不適切である。
なお、本明細書において「傾斜角度」とは、パソコン支持装置が机上に置かれた場合の机上面に対する傾斜部の傾斜角度を意味する。
【００２６】
請求項１１に記載の発明は、請求項１乃至１０のいずれか１項に記載のパソコン支持装置において、前記パソコン支持装置は、金属性材料で一体成形されていることを特徴とする。
【００２７】
請求項１１に記載の発明によれば、パソコン支持装置を金属性材料で一体成形して製造することにより、パソコン支持装置の重量を大きくすることができる。これにより、パソコン支持装置を机上に置いた場合の安定性が増し、ノート型パソコンを支持した状態の安定性も向上させることができる。
また、パソコン支持装置を所定の型により一体成形することにより、パソコン支持装置を容易且つ低コストで製造することができる。
【００２８】
また、他のパソコン支持装置として、ノート型パソコンの底面が載置される水平台と、前記水平台に形成され前記ノート型パソコンの底面が載置されたときに前記ノート型パソコンの底面に対して開口する開口部と、前記ノート型パソコンの使用時に必要な付属品が前記開口部を通して収納される収納部と、を有するものでもよい。
【００２９】
このパソコン支持装置によれば、ノート型パソコンの不使用時には、パソコン支持装置の水平台にノート型パソコンの底面が載置される。このようにして、不使用時において、ノート型パソコンがパソコン支持装置に支持される。
ここで、パソコン支持装置には収納部が設けられているため、ノート型パソコンの不使用時にノート型パソコンをパソコン支持装置に支持させる際に、開口部を通して不要な付属品を収納部に収納させることができる。特に、水平台にはノート型パソコンの底面が載置されたときにノート型パソコンの底面に対して開口する開口部が形成されているため、ノート型パソコンをパソコン支持装置で支持するときに付属品を容易に収納部に収納させることができる。これにより、付属品の収納性を格段に向上させることができる。
また、ノート型パソコンが水平台に載置されたときに、開口部をノート型パソコンで隠すことができるため、収納部に収納された付属品が使用者の目に触れることがない。これにより、ノート型パソコンがパソコン支持装置で支持された状態の美観性を向上させることができる。
【発明の効果】
【００３０】
請求項１に記載の発明は、パソコン支持装置には収納部が設けられているため、ノート型パソコンの不使用時にノート型パソコンをパソコン支持装置に支持させる際に、不要な付属品を収納部に収納させることができる。これにより、ノート型パソコンの不使用時において、付属品だけを別個独立に別の収納場所に収納させる必要がない。
【００３１】
請求項２に記載の発明は、パソコン支持装置には収納部が設けられているため、ノート型パソコンの不使用時にノート型パソコンをパソコン支持装置に支持させる際に、第１開口部を通して不要な付属品を収納部に収納させることができる。特に、傾斜部にはノート型パソコンの底面が支持されたときにノート型パソコンの底面に対して開口する第１開口部が形成されているため、ノート型パソコンをパソコン支持装置で支持するときに付属品を容易に収納部に収納させることができる。これにより、付属品の収納性を格段に向上させることができる。
また、ノート型パソコンをパソコン支持装置で支持すると、第１開口部をノート型パソコンで隠すことができるため、収納部に収納された付属品が使用者の目に触れることがない。これにより、ノート型パソコンがパソコン支持装置で支持された状態の美観性を向上させることができる。
【００３２】
請求項３に記載の発明は、第１開口部に対向する部位には第２開口部が形成されているため、ノート型パソコンの不使用においても、例えばケーブルを第２開口部に通すことにより、ケーブルを外部にある他の器具、装置あるいはコンセントに接続させておくことができる。
【００３３】
請求項４に記載の発明は、収納部は上壁部と、下壁部と、右側壁部と、左側壁部と、で囲まれて形成されており、傾斜部にノート型パソコンの底面が支持されるとノート型パソコンによって第１開口部が塞がれるため、収納部に外部から埃やゴミが入ってしまうことを防止することができる。これにより、収納部に収納された付属品に誇りやゴミなどが付着することを防止でき、付属品の機能が低下してしまうことを防止できる。
【００３４】
請求項５に記載の発明は、収納部が既存の支持部に設けられ、上壁部、下壁部、右側壁部及び左側壁部は支持部が兼ねているため、支持部に傾斜部を支持する機能と付属品を収納する収納部としての機能とを持たせることができる。これにより、支持部のスペースを収納部として有効に活用することができるため、パソコン支持装置が大型化してしまうことを防止することができる。また、パソコン支持装置の部品点数を削減することができ、組立工数及び製造コストを低減させることができる。
【００３５】
請求項６に記載の発明は、壁部には抜け防止手段が設けられているため、収納部に収納された付属品が第１開口部又は第２開口部から収納部の外部に抜けてしまうことを防止できる。特に、パソコン支持装置を机上で移動させた場合に、付属品の収納部からの抜けを有効に防止できる。
【００３６】
請求項７に記載の発明は、第１開口部の開口面積が第２開口部の開口面積よりも大きいため、比較的大きな開口面積である第１開口部から付属品を収納させることができ、収納性を向上させることができる。また、第１開口部の開口面積を比較的大きくすることにより、収納部から付属品を取り出し易くすることができる。
一方、第２開口部の開口面積は比較的小さいため、付属品が第２開口部から抜け出てしまうことを防止できる。特に、抜け防止手段と併用することにより、付属品の抜けをより確実に防止することができる。
【００３７】
請求項８に記載の発明は、傾斜部には単数又は複数の突部が設けられており、この突部によりノート型パソコンの底面が支持される。これらの突部によりノート型パソコンの底面が支持されると、ノート型パソコンの底面と傾斜部の表面との間には隙間が生じ、この隙間にノート型パソコンの使用時に必要なケーブル等を通すことができる。
【００３８】
請求項９に記載の発明は、突部の表面には弾性部材又はコルク材が取り付けられており、パソコン支持装置でノート型パソコンを支持する際にはノート型パソコンの底面が弾性部材またはコルク材と接触するため、ノート型パソコンの底面に傷を付けてしまうことを防止できる。また、ノート型パソコンの底面が弾性部材またはコルク材と接触することにより、ノート型パソコンの底面と弾性部材又はコルク材との間に発生する摩擦力が大きくなるため、ノート型パソコンの位置ズレを防止することができる。
特に、突部の表面にコルク材を取り付けることにより、質感などが向上するため、意匠性を向上させることができる。
【００３９】
請求項１０に記載の発明は、傾斜部の傾斜角度が６０度以上７０度以下であるため、ノート型パソコンを安定して支持することができる。また、傾斜部の傾斜角度を６０度以上７０度以下とすることにより、パソコン支持装置に支持された状態のノート型パソコンの意匠性を向上させることができる。さらに、傾斜部の傾斜角度を６０度以上７０度以下とすることにより、パソコン支持装置が机上に置かれた場合に、傾斜部の机上に対する投影面積が少なくなり、机上のスペースを有効に活用することができる。
【００４０】
請求項１１に記載の発明は、パソコン支持装置を金属性材料で一体成形して製造することにより、パソコン支持装置の重量を大きくすることができる。これにより、パソコン支持装置を机上に置いた場合の安定性が増し、ノート型パソコンを支持した状態の安定性も向上させることができる。
また、パソコン支持装置を所定の型により一体成形することにより、パソコン支持装置を容易且つ低コストで製造することができる。
【発明を実施するための最良の形態】
【００４１】
次に、本発明の一実施形態に係るパソコン支持装置について、図面を参照して説明する。
【００４２】
図１乃至図８に示すように、パソコン支持装置１０は、ノート型パソコン（以下、適宜「パソコン１２」と略す。）１２の側面１２Ｂが載置される載置部１４を備えている。この載置部１４には、前方側端部Ｆに向かって上り傾斜した傾斜面１６が形成されている。
【００４３】
また、載置部１４の後方側端部Ｒには、パソコン１２の底面１２Ａを支持する傾斜部１８が接続されている。この傾斜部１８は正面視（図２参照）にて略長方形状に形成されており、傾斜部１８の机上面Ｌに対する傾斜角度α（図８参照）は、６０度以上７０度以下の範囲に設定されている。なお、傾斜部１８は、載置部１４と一体成形されている。
また、傾斜部１８には、後述の収納部Ａへの入口となる第１開口部２０が形成されている。この第１開口部２０の開口面積は、後述の第２開口部４０の開口面積と比較して大きくなるように形成されている。このように第１開口部２０の開口面積を比較的大きくすることにより、付属品を収納部Ａに収納し易くすることができ、また、収納部Ａから付属品を取り出し易くすることができる。
【００４４】
また、傾斜部１８の上方部表面（第１開口部２０の上方側）には、傾斜部１８の幅方向（図２中矢印Ｗ方向）に延びる１本の第１突部２２（突部）が設けられている。この第１突部２２は傾斜部１８と一体成形されている。
また、第１突部２２の表面には、コルク材２４が接着剤により取り付けられている。なお、第１突部２２の表面には、コルク材２４ではなく、ゴム等の弾性部材を取り付けてもよい。このように、第１突部２２の表面にコルク材２４やゴム等の弾性部材を取り付け、コルク材２４やゴム等の弾性部材を介してパソコン１２の底面１２Ａと接触させることにより、パソコン１２の底面１２Ａに傷がついてしまうことを防止することができる。また、コルク材２４やゴム等の弾性部材とパソコン１２の底面１２Ａとの間に発生する摩擦力が大きくなるため、パソコン支持装置１０上でパソコン１２がずれてしまうことを防止できる。特に、コルク材２４を用いることにより意匠性を向上させることができる。
【００４５】
さらに、傾斜部１８の下方部表面（第１開口部２０の下方側）の左右両側には、傾斜部１８の幅方向（図２中矢印Ｗ方向）に対して垂直方向（図２中矢印Ｔ方向）に延びる２本の第２突部２６（突部）が設けられている。この第２突部２６は、傾斜部１８と一体成形されている。
また、各第２突部２６の表面から載置部１４の傾斜面１６に亘って、コルク材２８が接着剤等によりそれぞれ取り付けられている。なお、第２突部２６の表面から傾斜面１６に亘って、コルク材２８ではなく、ゴム等の弾性部材を取り付けてもよい。このように、第２突部２６の表面から載置部１４の傾斜面１６に亘って、コルク材２８やゴム等の弾性部材を取り付け、コルク材２８やゴム等の弾性部材を介してパソコン１２の底面１２Ａ及び側面１２Ｂと接触させることにより、パソコン１２の底面１２Ａ及び側面１２Ｂに傷がついてしまうことを防止することができる。コルク材２８やゴム等の弾性部材とパソコン１２の底面１２Ａ（又は側面１２Ｂ）との間に発生する摩擦力が大きくなるため、パソコン支持装置１０上でパソコン１２がずれてしまうことを防止できる。特に、コルク材２８を用いることにより意匠性を向上させることができる。
【００４６】
なお、第１突部２２及び第２突部２６を設ける位置、これらの個数及び形状については、本実施形態のものに限られることはなく、適宜変更することができる。
【００４７】
また、傾斜部１８の表面の面積は、傾斜部１８にいわゆるＡ４サイズのパソコン１２の底面１２Ａが載置されたときに、パソコン１２の底面の一部がはみ出てしまう程度の大きさに設定されている。これにより、傾斜部１８に支持されたパソコン１２を取り出すときには、パソコン１２の傾斜部１８からはみ出した部分を持って机上面Ｌに取り出すことにより、傾斜部１８が邪魔にならず、パソコン１２をパソコン支持装置１０から容易に取り出すことができる。
【００４８】
また、図１乃至図７に示すように、傾斜部１８の裏面側には、机上面Ｌに載置され傾斜部１８を下方から支持する支持部３０が設けられている。この支持部３０は、第１開口部２０の上側開口縁２０Ｕと接続する上壁部３２と、第１開口部２０の下側開口縁２０Ｄと接続する下壁部３４と、上壁部３２の端部及び下壁部３４の端部との間を塞ぎ第１開口部２０の右側開口縁２０Ｒと接続する右側壁部３６と、上壁部３２の端部及び下壁部３４の端部との間を塞ぎ第１開口部２０の左側開口縁２０Ｌと接続する左側壁部３８と、を有している。また、第１開口部２０と対向する位置に、上壁部３２の後端部、下壁部３４の後端部、右側壁部３６の後端部及び左側壁部３８の後端部を塞ぐように後壁部３９が設けられている。これら各部３２、３４、３６、３８、３９は、それぞれ一体成形されている。さらに、後壁部３９には第２開口部４０が形成されている。この第２開口部４０の開口面積は、各種のケーブル等が通過可能な大きさであり、かつＡＣアダプタ、マウス、フロッピー（登録商標）ディスク等が抜け出さない程度の大きさに設定されている。
【００４９】
また、図７に示すように、第１開口部２０の下側開口縁側に位置する下壁部３４の先端部（抜け防止手段）３４Ｆは、パソコン支持装置１０の前方側（図７中矢印Ｘ方向側）に向かって上り傾斜して形成されている。このように、下壁部３４の先端部３４Ｆは、後述の付属品（図示省略）が第１開口部２０から外部に抜け落ちてしまうことを防止するストッパとしての機能を有している。
一方、第２開口部４０の下側開口縁側に位置する下壁部３４の後端部（抜け防止手段）３４Ｒは、パソコン支持装置１０の後方側（図７中矢印Ｙ方向側）に向かって上り傾斜して形成されている。このように、下壁部３４の後端部３４Ｒも、先端部３４Ｆと同様に、後述の付属品（図示省略）が第２開口部４０から外部に抜け落ちてしまうことを防止するストッパとしての機能を有している。特に、第２開口部４０の開口面積は、後述の収納部Ａに収納されたＡＣアダプタ等の比較的大きな付属品が第２開口部４０から外部に抜け落ちないように、比較的小さめに設定されているため、これらの相乗効果により、比較的大きな付属品が第２開口部４０から抜け出してしまうことをより確実に防止することができる。
【００５０】
また、図１に示すように、パソコン支持装置１０には、上壁部３２、下壁部３４、右側壁部３６及び左側壁部３８とで囲まれて形成された収納部Ａが設けられている。このように、パソコン支持装置１０の支持部３０は収納部Ａも兼ねており、支持部３０は傾斜部１８を支持する機能と付属品を収納する機能とを備えている。これにより、支持部３０の内部のスペースを有効に利用することができ、支持部３０とは別の場所に収納部Ａを設ける場合と比較して、パソコン支持装置１０を小型化することができる。さらに、パソコン支持装置１０の部品点数を削減することができ、組立工数及び製造コストを低減することができる。
なお、この収納部Ａには、ＡＣアダプタ、マウス、フロッピー（登録商標）ディスクなどのパソコン１２を使用する際に必要な付属品が収納される。
【００５１】
以上説明したパソコン支持装置１０は、アルミニウムで構成されており、比較的重量が大きくなるように設定されている。また、パソコン支持装置１０は、アルミニウムで構成されることに限定されるものではなく、例えば鉄など他の金属性部材料で構成してもよい。このようにパソコン支持装置１０の重量を比較的大きくすることにより、パソコン１２を支持したときのパソコン支持装置１０の姿勢を安定させることができる。なお、パソコン支持装置１２は、金属性材料で構成されることに限定されるものではなく、プラスチック等の合成樹脂等で構成されていてもよい。
さらに、パソコン支持装置１０を所定の型により一体成形されて製造することにより、パソコン支持装置１０を容易かつ低コストで製造することができる。特に、パソコン支持装置１０をアルミニウムで構成された鋳物として製造することによりパソコン支持装置１０の質感を表現することができ、意匠性に優れたものにすることができる。
【００５２】
次に、本実施形態に係るパソコン支持装置１０の作用について説明する。
【００５３】
図８に示すように、パソコン１２の不使用時の時には、パソコン１２の側面１２Ｂをパソコン支持装置１０の載置部１４に載せ、パソコン１２の底面１２Ａをパソコン支持装置１０の傾斜部１８に支持させる。このように、パソコン１２の不使用時には、パソコン支持装置１０にパソコン１２を立て掛ける状態で、パソコン１２を机上面Ｌ上に置いておく。
ここで、傾斜部１８の机上面Ｌに対する傾斜角度αが６０度以上７０度以下に設定されているため、パソコン支持装置１０により支持されたパソコン１２の姿勢を安定させることができる。また、机上面Ｌに対する傾斜角度αが６０度以上７０度以下である傾斜部１８にパソコン１２を支持させることにより、支持された状態の意匠性も向上させることができる。さらに、傾斜部１８の傾斜角度αを６０度以上７０度以下とすることにより、パソコン支持装置１０が机上に置かれた場合に傾斜部１８の机上に対する投影面積が少なくなり、机上面Ｌのスペースを有効に活用することができる。
なお、パソコン１２をパソコン支持装置１０で支持すると、第１開口部２０をパソコン１２で隠すことができるため、収納部Ａに収納された付属品が使用者の目に触れることがない。これにより、パソコン１２がパソコン支持装置１０で支持された状態の美観性を向上させることができる。
一方、パソコン１２を再度使用するときには、パソコン支持装置１０からパソコン１２を取り出して、パソコン１２を机上面Ｌに置き、使用する。このように、パソコン１２をパソコン支持装置１０から取り出すだけで容易に使用できる状態にすることができる。
【００５４】
ところで、パソコン１２を使用する際には、ＡＣアダプタやこれに接続されたケーブル、インターネットケーブル、プリンタに接続されたケーブル、マウス、フロッピー（登録商標）ディスクなどの様々な器具、接続配線及びメディア（以下、適宜「付属品」という。）が必要になる。
【００５５】
ここで、パソコン１２の不使用時には、上述したように、パソコン１２をパソコン支持装置１０に立て掛けるが、このとき、図１、図２、図４及び図７に示すように、パソコン支持装置１０には収納部Ａが設けられているため、第１開口部２０からＡＣアダプタ、マウス、フロッピー（登録商標）ディスクなどの付属品を収納部Ａに収納することができる。特に、第１開口部２０は傾斜部１８の表面に開口しているため、付属品を容易に挿入することができる。これらにより、付属品だけを別の場所に収納させる手間を省くことができる。
また、収納部Ａは上壁部３２、下壁部３４、右側壁部３６及び左側壁部３８で囲まれて形成されており、傾斜部１８にパソコン１２の底面１２Ａが支持されるとパソコン１２によって第１開口部２０が塞がれるため、外部から収納部Ａの内部に埃やゴミが入ってしまうことを防止できる。これにより、収納部Ａに収納された付属品に埃やゴミが付着せず、付属品の機能が低下することを防止できる。
【００５６】
また、付属品の中には、ＡＣ電源に接続されたケーブルやプリンタに接続されたケーブルなど外部の器具（例えば、プリンタやコンセント）にも接続されているものがあるが、収納部Ａには第２開口部４０が設けられているため、これらのケーブルは第２開口部４０を通して外部に導くことができる。このため、パソコン１２の不使用時には、外部の器具とケーブルとを切り離す必要がない。
【００５７】
また、パソコン１２が傾斜部１８に支持されると、第１突部２２の高さ及びコルク材２４の厚み（又は第２突部２６の高さ及びコルク材２８の厚み）の分だけ、パソコン１２の底面１２Ａが傾斜部１８の表面から離間する。これにより、パソコン１２を傾斜部１８に支持させた状態で、パソコン１２の底面１２Ａと傾斜部１８の表面との離間スペースを他の用途に有効に利用することができる。特に、パソコン１２の底面１２Ａと傾斜部１８の表面との離間スペースにパソコン１２に接続された各種ケーブルを通すことにより、不使用時にパソコン１２から各種ケーブルを取り外す必要がない。
【００５８】
なお、上記実施形態のパソコン支持装置１０では、パソコン１２を所定の傾斜角度αをもつ傾斜部１８に支持させる構成を示したが、これに限定されるものではなく、例えば傾斜部１８を机上面に対して平行（傾斜角度０度）とした水平台（図示省略）にし、この水平台にパソコン１２の底面１２Ａを載置させてもよい。このとき、水平台に凹部を設けることにより、水平台に開口部と収納部とを形成することが好ましい。これにより、収納部と開口部とを備えたパソコン支持装置を得ることができる。
【図面の簡単な説明】
【００５９】
【図１】本発明の一実施形態に係るパソコン支持装置の斜視図である。
【図２】本発明の一実施形態に係るパソコン支持装置の正面図である。
【図３】本発明の一実施形態に係るパソコン支持装置の背面図である。
【図４】本発明の一実施形態に係るパソコン支持装置の平面図である。
【図５】本発明の一実施形態に係るパソコン支持装置の底面図である。
【図６】本発明の一実施形態に係るパソコン支持装置の右側面図である。
【図７】図２のＡ−Ａ間の断面図である。
【図８】本発明の一実施形態に係るパソコン支持装置によりノート型パソコンを支持した状態の図である。
【符号の説明】
【００６０】
１０      パソコン支持装置
１２      ノート型パソコン（パソコン）
１４      載置部
１８      傾斜部
２０      第１開口部
２２      第１突部（突部）
２４      コルク材
２６      第２突部（突部）
２８      コルク材
３０      支持部
３２      上壁部
３４      下壁部
３６      右側壁部
３８      左側壁部
４０      第２開口部
Ａ        収納部
【図１】
2005173743.tif 000003
【図２】
2005173743.tif 000004
【図３】
2005173743.tif 000005
【図４】
2005173743.tif 000006
【図５】
2005173743.tif 000007
【図６】
2005173743.tif 000008
【図７】
2005173743.tif 000009
【図８】
2005173743.tif 000010